(57)【要約】      （修正有）【課題】対向する一対の第１側板と、対向する第２側板とを底板の四周辺からそれぞれ折り上げてなる箱本体と、上向きに開放された前記箱本体に上方から被せられて連結される上蓋とからなる梱包箱において、上蓋を取り除いて開封した際に、箱本体からの品物の取り出しを容易にするとともに、複数個の箱本体を平面スペース少なく並べて店頭展示することができる梱包箱を提供する。【解決手段】箱本体１における第１側板４の両端部に側部フラップ６ｂを連設するとともに、内折りした側部フラップ６ｂに箱本体１における第２側板５を外側から重ねて接着連結し、第１側板４の上端にミシン目ｆを介して内フラップ７を連設するとともに、内折りした内フラップ７に上蓋２を上方から重ねて接着連結してある。【選択図】図５
0003186500.tif 000002
【実用新案登録請求の範囲】
【請求項１】
対向する一対の第１側板と、対向する一対の第２側板とを、底板の四周辺からそれぞれ折り上げてなる箱本体と、上向きに開放された前記箱本体に上方から被せられて連結される上蓋とからなる梱包箱において、
前記箱本体における前記第１側板の両端部に側部フラップを連設するとともに、内折りした前記側部フラップに前記第２側板を外側から重ねて接着連結し、
前記第１側板の上端にミシン目を介して内フラップを連設するとともに、内折りした前記内フラップに前記上蓋を上方から重ねて接着連結するよう構成してある、
ことを特徴とする梱包箱。
【請求項２】
前記第２側板を前記第１側板より低く構成するとともに、
前記第１側板の両端部の前記側部フラップを下半フラップ部と上半フラップ部とで形成し、
前記第２側板を前記下半フラップ部に重ねて貼着連結し、前記上蓋の端部に連設された側板部を前記上半フラップ部に重ねて貼着連結するよう構成してある、
請求項１に記載の梱包箱。
【請求項３】
前記内フラップ及び前記上蓋に、めくり取り誘起用の折り線を形成してある、
請求項１または２に記載の梱包箱。
【請求項４】
前記側部フラップにおける前記上半フラップ部を、ミシン目を介して前記第１側板に連設するとともに、前記側部フラップにおける上半フラップ部と下半フラップ部との間にミシン目を設けてある、
請求項２または３に記載の梱包箱。
【請求項５】
一対の前記第１側板の一方に前記内フラップを連設し、
組上げた２個の箱本体を、内フラップを備えた第１側板がそれぞれ外端に位置する姿勢で並列し、
並列した箱本体に前記蓋体を被せて連結するよう構成してある、
請求項１ないし４のいずれかに記載の梱包箱。
【請求項６】
前記上蓋における内面に、並列した箱本体の境界に沿うカットテープを備えるとともに、上蓋における側板部に、前記カットテープを挟むように切り裂き誘導用の切込みを形成してある、
請求項５に記載の梱包箱。
【請求項７】
並列配置する２個の箱本体を同一の寸法仕様に構成してある、
請求項５または６に記載の梱包箱。
【考案の詳細な説明】
【技術分野】
【０００１】
本考案は、段ボール紙あるいは厚紙を折り上げて構成する梱包箱に関する。
【背景技術】
【０００２】
上記梱包箱としては、底板の四周辺から側板を立ち上げてなる上方開放の箱本体に上蓋を被せ、上蓋の両端部から折り下げた側面フラップを、箱本体の対向する一対の側板の上端部に外側から重ねて接着固定し、また、側面フラップの接着を剥がして上蓋を取り外すことで、箱本体を開封するよう構成したものが知られている（例えば特許文献１参照）。
【先行技術文献】
【特許文献】
【０００３】
【特許文献１】実開昭５４−９７３４０号公報
【考案の概要】
【考案が解決しようとする課題】
【０００４】
上記構成の梱包箱においては、底板の四周辺から立ち上げた側板のうち、上蓋が貼着連結されない側板の上端に内フラップを連設し、内折りした内フラップの上に上蓋を重ねることで、この側板の上端と上蓋との間の封止機能が高められるとともに、内フラップのリブ機能によって側板の剛性が高められている。
【０００５】
上記構成においては、上蓋を剥がし取って箱本体を開封した状態では、対向する一対の側板の上端に内フラップが露出することになり、箱本体に収容した品物を取り出す際に内フラップが邪魔になりやすく、内フラップに邪魔されることなく品物の取り出しを行うには、内フラップを外側に折り返しておく煩わしさがあった。
【０００６】
また、特許文献１に示された梱包箱は、対向する２組の側板が同じ高さに構成されているので、品物が縦姿勢で並べて収納されているような場合には、取り出さないと品物の種類を判別することができないものであり、開封した箱本体をそのままで店頭展示することが困難であった。
【０００７】
このような場合、前方の側板の上半部をカッタ−ナイフなどで切り取って、収納した品物が前方から見やすい状態にて店頭展示することが一般的に行われている。
【０００８】
上記のように店頭展示するにしても、品物の取り出しの邪魔になる内フラップは外側に折り返しておくことが望ましく、複数個の箱本体を並べて店頭展示する場合には、内フラップの外側へ折返すための間隔を空けて箱本体を並べる必要があり、その分、複数個の箱本体を並列展示するための平面スペースが大きくなるものであった。
【０００９】
本考案は、このような実情に着目してなされたものであって、上蓋を取り外す開封操作によって内フラップをも取り除くようにして、開封した箱本体からの品物の取り出しを容易にするとともに、複数個の箱本体を平面スペース少なく並べて店頭展示することができる梱包箱を提供することを目的とするものである。
【課題を解決するための手段】
【００１０】
上記目的を達成するために、本考案では次のように構成している。
【００１１】
（１）本考案は、対向する一対の第１側板と、対向する一対の第２側板とを底板の四周辺からそれぞれ折り上げてなる箱本体と、上向きに開放された前記箱本体に上方から被せられて連結される上蓋とからなる梱包箱において、前記箱本体における前記第１側板の両端部に側部フラップを連設するとともに、内折りした前記側部フラップに前記第２側板を外側から重ねて接着連結し、前記第１側板の上端にミシン目を介して内フラップを連設するとともに、内折りした前記内フラップに前記上蓋を上方から重ねて接着連結するよう構成してある、ことを特徴とする。
【００１２】
この構成によると、上蓋をめくり取って開封すると、上蓋の端部に貼着連結された内フラップがミシン目で切り裂かれて側板から切り離され、上蓋と一体に取り除かれる。
【００１３】
従って、開封された箱本体の開口部には内フラップがなく、収納した品物を取り出す際に内フラップを外側に折り返すような手間は必要なくなる。
【００１４】
また、開封した複数個の箱本体を並べて店頭展示するような場合、外側に折り返す内フラップの無い箱本体は、互いの側板同士を密着させて並べることができ、展示のための平面スペースが最少限度で済む。
【００１５】
（２）本考案の好ましい実施態様では、
前記第２側板を第１側板より低く構成するとともに、前記側部フラップに下半フラップ部と上半フラップ部とを形成し、前記第２側板を前記下半フラップ部に重ねて貼着連結し、前記上蓋の端部に連設された側板部を前記上半フラップ部に重ねて貼着連結するよう構成してある。
【００１６】
この構成によると、上蓋をめくり取る開封操作を行うと、背の低い第２側板の上方に在った上蓋側板部が無くなることで、第２側板の上方に、箱内に臨む空間が形成されることになる。従って、この第２側板の在る側を前方にして店頭展示することで、品物を容易に目視できるとともに、品物を内フラップに邪魔されることなく取り出すことが可能な展示状態を得ることができる。
【００１７】
（３）本考案の他の実施態様においては、前記内フラップ及び上蓋に、めくり取り誘起用の折り線を形成してある。
【００１８】
この構成によると、、上蓋及びこれに貼着連結された内フラップは折り線において容易に上方に折り曲げることができ、この折り曲げによって内フラップのミシン目に切り裂き応力が効率よく伝達し、上蓋のめくり上げに伴って内フラップをミシン目に沿って円滑かつ確実に切り裂いてゆくことができる。
【００１９】
（４）本考案の他の実施態様においては、前記側部フラップにおける上半フラップ部を、ミシン目を介して第１側板に連設するとともに、側部フラップにおける上半フラップ部と下半フラップ部との間にミシン目を設けてある。
【００２０】
この構成によると、上蓋をめくり取り除去する際に、上蓋の側板部と側部フラップにおける上半フラップ部との接着が剥がれ、上半フラップ部が残されることになっても、この上半フラップ部を手指で摘んで２つのミシン目に沿って切り裂き操作することで、上半フラップ部を第１側板及び下半フラップ部から、カッターナイフなどの工具を要することなく簡単容易に切り離し除去することができる。
【００２１】
このように、上半フラップ部を取り除くと、第２側板の上に第２側板の横幅いっぱいの大きい開口が形成されることになって、収納した品物が一層見やすいものとなり、店頭展示に好適な状態となる。また、残存した上半フラップには、上蓋側板部の接着跡が露出しているので、展示した場合の見栄えを低下させるおそれもあるが、上半フラップを取り除くことでこのような不具合もなくなる。
【００２２】
（５）本考案の他の実施態様においては、一対の前記第１側板の一方に前記内フラップを連設し、組上げた２個の箱本体を、内フラップを備えた第１側板がそれぞれ外端に位置する姿勢で並列し、並列した箱本体に前記蓋体を被せて連結するよう構成してある。
【００２３】
この構成によると、並べた２個の箱本体を共通の上蓋で連結して一体化することができ、個々の箱本体ごとに上蓋を被せて連結する場合に比べて、梱包作業を効率よく行うことができる。また、箱本体を２個単位で梱包して取り扱うので、多数個の箱本体を梱包して、運搬、管理する場合の取扱い性が向上する。
【００２４】
（６）本考案の他の実施態様においては、前記上蓋における内面に、並列した箱本体の境界に沿うカットテープを備えるとともに、上蓋における側板部に、前記カットテープを挟むように切り裂き誘導用の切込みを形成してある。
【００２５】
この構成によると、上蓋側板部における両切込みの間を摘み上げて、カットテープを含む小幅の帯状部をテープ長手方向にめくり取ってゆくことで、カットテープの誘導作用によって上蓋を両箱本体の境界に沿って正しく引き裂き分断することができ、２個の箱本体を容易に分離することができる。
【００２６】
（７）本考案の他の実施態様においては、並列配置する２個の箱本体を同一の寸法仕様に構成してある。
【００２７】
この構成によると、並列方向に勝手違いに並べられる２個の箱本体を、同一の素材で組上げることができ、素材打ち抜き加工用の金型を一種類で済ますことができ、素材加工コストの節減に有効となる。
【考案の効果】
【００２８】
このように、本考案によれば、上蓋を取り外す開封操作によって内フラップをも取り除くようにして、開封した箱本体からの品物の取り出しを容易にするとともに、複数個の箱本体を平面スペース少なく並べて店頭展示することができる梱包箱を提供することができる。
【図面の簡単な説明】
【００２９】
【図１】第１例における箱本体の素材を示す展開平面図である。
【図２】第１例における蓋体の展開平面図である。
【図３】箱本体の組上げ工程を示す斜視図である。
【図４】品物収容工程の斜視図である。
【図５】梱包工程の分解斜視図である。
【図６】梱包された梱包箱の斜視図である。
【図７】箱本体の分離工程を示す斜視図である。
【図８】分離された箱本体の斜視図である。
【図９】開封工程の斜視図である。
【図１０】開封工程の斜視図である。
【図１１】開封された箱本体の斜視図である。
【図１２】展示状態を示す斜視図である。
【図１３】第２例における箱本体の素材を示す展開平面図である。
【図１４】第２例における蓋体の展開平面図である。
【図１５】梱包工程の分解斜視図である。
【図１６】梱包された梱包箱の斜視図である。
【図１７】開封工程の斜視図である。
【図１８】開封された箱本体の斜視図である。
【図１９】展示状態を示す斜視図である。
【図２０】他の実施例における素材の展開平面図である。
【図２１】他の実施例における箱本体の組上げ工程を示す斜視図である。
【図２２】上蓋めくり上げ構造の他の実施例を示す斜視図である。
【考案を実施するための形態】
【００３０】
以下、本考案の実施形態について図面を参照しながら説明する。なお、この実施形態によって本考案が限定されるものではない。
【００３１】
〔第１例〕
図１〜図１２に、本考案に係る梱包箱Ａの第１例が示されている。
【００３２】
図６に示すように、この梱包箱Ａは、並べた２個の箱本体１を、上方から被せた蓋体２で連結したものであり、２個の箱本体１を一体化した状態で運搬、保管、等を行い、ユーザー先で２個の箱本体１に分離して開封するようになっている。なお、以降において、説明の便宜上、箱本体１の並列方向を左右方向、これと直交する水平方向を前後方向と呼称する。
【００３３】
図１に、各箱本体１が組上げられる箱素材の展開した平面図が示されている。なお、各箱本体１は左右勝手違いの姿勢に並べられて、後述のように一個の梱包箱Ａに組上げられるが、前後には対称であるので、各箱本体１の箱素材としては同一のものを使用することができる。
【００３４】
図１に示すように、この箱素材は、段ボール紙を型抜きして形成されたものであって、底板３の対向する左右の二辺（長辺）に背の高い第１側板４が、型押し形成された折り線ａを介して連設されるとともに、底板３の対向する前後の二辺（短辺）に背の低い第２側板５が、型押し形成された折り線ｂを介して連設されている。
【００３５】
第１側板４の両前後の端辺には、側部フラップ６が連設されるとともに、この側部フラップ６は、幅広に形成された下半フラップ部６ａと、幅狭に形成された上半フラップ部６ｂとで構成されている。
【００３６】
そして、下半フラップ部６ａは、型押し形成された折り線ｃを介して第１側板４に連設されるとともに、幅狭の上半フラップ部６ｂは、への字形の切り込みを一列状に断続形成したミシン目ｄを介して第１側板４に連設され、かつ、下半フラップ部６ａと上半フラップ部６ｂとの間には同様なミシン目ｅが形成されている。また、第１側板４の上端辺には、ミシン目ｆを介して内フラップ７が連設されている。
【００３７】
上記のように構成された箱素材は、図３に示すように、側部フラップ６を内折りした状態で第１側板４を起立させ、次に、第２側板５を折り上げて側部フラップ６の下半フラップ部６ａに外側から重複させ、塗布した接着剤、あるいは、両面テープなどの接着部ｓを介して第２側板５と下半部フラップ６ａとを貼着連結する。これによって、上方が全面的に開放された箱本体１が組上げられる。
【００３８】
図４に示すように、組上げられた２つの箱本体１のそれぞれに所定数の品物ｗを、縦姿勢で前後に並べて収納する。
【００３９】
次に、図５に示すように、内フラップ７が左右外端に位置する左右勝手違いの姿勢で両箱本体１を並べるとともに、左右の内フラップ７を内折りして、両箱本体１の上部開口を塞ぐように共通の上蓋２を被せて以下のように接着固定する。
【００４０】
図２に、前記上蓋７の展開した平面図が示されている。この上蓋２は、並べられた両箱本体１の上部開口に相当する大きさに形成された主部２ａの前後両端に、型押し形成された折り線ｇを介して側板部２ｂを連設して形成されている。
【００４１】
そして、折り下げた側板部２ｂを、並列した両箱本体１における側部フラップ６の上半部６ｂに外側から重ねて、接着剤、あるいは、両面テープなどの接着部ｓを介して貼着連結する。また、これと同時に、被せた上蓋２における主部２ａの左右側端部を内折りした内フラップ７に上方から重ねて接着部ｓを介して貼着連結する。
【００４２】
これによって、梱包処理は終了し、図６に示すように、上蓋２を介して両箱本体１を一体化した梱包箱Ａが組み上がり、この状態で運搬、保管され、販売店などのユーザーに供給される。
【００４３】
ユーザー側においては、２個の箱本体１を分離及び開封して、箱ごと展示することができるようになっている。
【００４４】
すなわち、上蓋２における内面の左右中心に沿って、丈夫な樹脂シート材からなる幅数ｍｍのカットテープ８が貼着装備されるとともに、上蓋２における前後の側板部２ｂの外端近傍には、カットテープ８を挟むように断続的な２列の切込みｈが形成されており、図７に示すように、左右の切込み線ｈの間を摘み上げて、カットテープ８を含む小幅の帯状部２ｃをテープ長手方向にめくり取ってゆくことで、カットテープ８の誘導機能によって、並列された箱本体１の境界に沿って上蓋２を左右に分断することができ、これによって、図８に示すように、２個の箱本体１を分離することができる。
【００４５】
また、上蓋２における両側板部２ｂの前後の端部には、左右一対づつの指掛け部９が切り込み形成されており、図９に示すように、前方の指掛け部９を指先で押し込んで指を掛け、側板部２ｂの端部をめくり上げてゆくと、この側板部２ｂと側部フラップ６の上半部６ｂとの接着部位が剥離し、側板部２ｂだけがめくり上げられてゆく。
【００４６】
そして、図１０に示すように、上蓋２における側板部２ｂのめくり上げが進行して主部２ａの端部にまで及ぶと、主部２ａに接着連結された内フラップ７のミシン目ｆでの切り裂きが開始され、上蓋２のめくり取りに伴って内フラップ７の切り裂きが進行する。
【００４７】
なお、上蓋２における主部２ａの前後方向での端部近くには、左右方向沿って型押した折り線ｉが形成されるとともに、内フラップ７の端部近くにも、この折り線ｉに対応して折り線ｊが予め形成されており、これら折り線ｉ，ｊを介して上蓋２の主部２ａ及び内フラップ７が上方に折り曲げ易くなっており、この折り曲げによってミシン目ｆの始端部へ切り裂き応力（剪断応力）が効率よく作用し、ミシン目ｆに沿った切り裂きが円滑に進行する。
【００４８】
そして、上蓋２のめくり取りが反対側の側板部２ｂにまで進行して上蓋２が取り除かれると、図１１に示すように、箱本体１は、内フラップ７が無い状態で上方に全面的に開放されるとともに、前後の側面が上半部の多くが開放された状態となる。これによって、収納した品物ｗを上方からのみならず前方、あるいは、後方からも目視できる展示状態を得ることができるのである。
【００４９】
ここで、上蓋２を取り除いただけでは、箱本体１の前後面には側部フラップ６の上半フラップ部６ｂが露出しており、このままの状態で店頭展示しても特に差し障りはないが、上半フラップ部６ｂには接着部位の剥離跡ｓ’が露出して見栄えが悪くなることがある。このような場合には、上半フラップ部６ｂを手指で摘んで、ミシン目ｄ，ｅに沿って切り裂くことで、図１２に示すように、上半フラップ部６ｂが取り除かれた見栄えの良い状態で店頭展示することができる。
【００５０】
図１１、あるいは、図１２に示される展示状態では、内フラップ７が取り除いてあるので、内フラップ７に邪魔されることなく品物ｗを上方に容易に取り出すことが可能となる。また、内フラップ７の無い箱本体１は、複数個を並列展示する場合、第１側板４同士を密着して並べることができ、並列展示のための平面スペースを最少限度に済ますことができる。
【００５１】
因みに、内フラップ７が残っている場合、内フラップ７を外側に折り返しておくことで品物ｗの取り出しを容易なものにすることができるが、これによると、複数の箱本体１を並べた際、並列した箱本体１の間に、外側に折り返した内フラップの収まる間隔を空ける必要があり、その分、多くの箱本体１を並べて展示する際に必要な平面スペースが大きくなってしまう。
【００５２】
〔第２例〕
図１３〜図１９に、本考案に係る梱包箱の第２例が示されている。
【００５３】
この例の梱包箱Ａは、単一の箱本体１に蓋体２を被せて接着連結する基本構成は第１例と同様であり、第１例と共通の部位には第１例と同じ符号を付して、その説明は省略する。
【００５４】
単一の箱本体１を利用するこの例では、対向する第１側板４のそれぞれに内フラップ７が備えられて、被せた蓋体２における主部２ａの左右側辺部に接着部ｓを介して接着連結される。また、この例では、蓋体２を左右に分断する必要がないので、第１例のカットテープ８や切込み９は不要となっている。
【００５５】
第１例と同様に、収納する品物ｗが扁平なものである場合には、図１５に示すように、縦姿勢で前後に並べるとともに、左右２列に収納する。
【００５６】
品物ｗの収納が完了すると、上蓋２を箱本体１に被せて、折り下げた側板部２ｂを側部フラップ６の上半フラップ部６ｂに接着部ｓを介して貼着連結し、これによって、図１６に示される梱包箱Ａが組み上がる。
【００５７】
開封操作は、上記第１例と同様であり、図１７に示すように、上蓋２における一方の側板部２ａをその端部からめくり上げることで、左右の内フラップ７を貼着連結したままで上蓋２をめくり取り除去することになる。これによって、図１８に示すように、上方が前面開放されるとともに、前後面における上半部の多くが開放された状態がもたらされる。
【００５８】
また、必要に応じて、残った側部フラップ６の上半フラップ部６ｂを切り裂き除去し、図１９に示すように、箱本体１における前後面の上半部を大きく露出解放した見栄えの良い状態にして店頭展示などを行う。
〔他の実施例〕
【００５９】
本考案は、以下のような形態で実施することもできる。
【００６０】
（１）上記第１例においては、並列配備する２個の箱本体１を同一寸法仕様のものに構成して、箱素材を共通のものとしているが、第２側板５の横幅を互いに異なったものにして、収納空間の横幅が異なった２個の箱本体１を上蓋２で一体連結する形態で実施することもできる。
【００６１】
（２）上記第１例の形態を発展させれば、３個以上の箱本体１を並列配備して、共通の上蓋で連結して実施することも可能である。この場合、並列方向での両端に位置する箱本体１における外側の第１側板４にのみ内フラップ７を備えることになり、中間の箱本体１には内フラップ７を備えない仕様になる。
【００６２】
（３）箱本体１を単体で使用して梱包する場合、図２０，図２１に示すように、一方の第１側板４の上端に内フラップ７を備え、他方の第１側板４の上端に、ミシン目ｋを介して上蓋２を連設する形態で実施することも可能である。これによると、梱包箱Ａを構成する素材は１種類だけとなり、素材打ち抜き加工用の金型を一種類で済ますことができるとともに、箱本体１の上端開口を上蓋体２で塞ぐ際に、上蓋２の特別な位置決め手間が不要となり、組上げ作業性が高いものとなる。
【００６３】
（４）上記実施例では、上蓋２のめくり取によって残された側部フラップ６の上半フラップ部６ｂを、別操作で引き裂き除去するようにしているが、例えば、図２２に示すように、下半フラップ部６ａと上半フラップ部６ｂの境界に設けるミシン目ｅの向きを傾斜させるとともに、上半フラップ部６ｂと側板部２ｂとの接着部ｓを極力ミシン目ｅの近くまで設けことによって、側板部２ｂのめくり取りに伴って、ミシン目ｅの始端部に引き裂き応力を集中させ、ミシン目ｅ，ｄに沿って順次切り裂いて、上半フラップ部６ｂを側板部２ｂと一体に取り除くことも可能となる。
【符号の説明】
【００６４】
１                箱本体
２                蓋体
２ａ              主部
２ｂ              側板部
３                底板
４                第１側板
５                第２側板
６                側部フラップ
６ａ              下半フラップ部
６ｂ              上半フラップ部
７                内フラップ
８                カットテープ
９                切込み
ｄ                ミシン目
ｅ                ミシン目
ｆ                ミシン目
ｉ                折り線
ｊ                折り線
【図１】
0003186500.tif 000003
【図２】
0003186500.tif 000004
【図３】
0003186500.tif 000005
【図４】
0003186500.tif 000006
【図５】
0003186500.tif 000007
【図６】
0003186500.tif 000008
【図７】
0003186500.tif 000009
【図８】
0003186500.tif 000010
【図９】
0003186500.tif 000011
【図１０】
0003186500.tif 000012
【図１１】
0003186500.tif 000013
【図１２】
0003186500.tif 000014
【図１３】
0003186500.tif 000015
【図１４】
0003186500.tif 000016
【図１５】
0003186500.tif 000017
【図１６】
0003186500.tif 000018
【図１７】
0003186500.tif 000019
【図１８】
0003186500.tif 000020
【図１９】
0003186500.tif 000021
【図２０】
0003186500.tif 000022
【図２１】
0003186500.tif 000023
【図２２】
0003186500.tif 000024